(57)【特許請求の範囲】
【請求項１】
液晶パネルの後方からバックライト装置によって光を照射して画像を表示する液晶表示装置において、
方形をなす第１の枠状平板の両端が後方に折り曲げられて、双方に複数の第１の板状固定部が間隔を空けて形成された形状を有し、前記液晶パネルを前方から押さえて保持する前部フレームと、
方形をなす第２の枠状平板の両端が前方に折り曲げられて、第２の板状固定部が形成された形状を有し、前記第２の板状固定部が前記第１の板状固定部の内側に嵌合して、前記液晶パネルを後方から押さえて保持する後部フレームと、
前記バックライト装置が収納された箱形の枠体の両側面の上端部が突出して、双方に複数の第３の板状固定部が間隔を空けて形成された形状を有し、前記第２の板状固定部の外側に嵌合して、前記後部フレームを保持するバックライトユニットと、
を有し、
前記第１の枠状平板の両端にて相対する前記第１の板状固定部間の距離が前記箱形の枠体の両側面の上端部にて相対する前記第３の板状固定部間の距離と等しく、かつ、前記第１の板状固定部および前記第３の板状固定部が前記第２の板状固定部の外側表面にて互い違いに配置されていることを特徴とする液晶表示装置。
【請求項２】
前記前部フレームおよび前記後部フレームは厚さ０．３ｍｍ未満の金属製であることを特徴とする請求項１記載の液晶表示装置。
【請求項３】
前記第１および第２の板状固定部の間、前記第２および第３の板状固定部の間は、それぞれの一方に設けられた突部を、他方に設けられた取り付け穴に挿嵌することによって固定されることを特徴とする請求項１記載の液晶表示装置。
【請求項４】
前記前部フレームおよび前記後部フレームには、前記第１および第２の枠状平板における、前記第１および第２の板状固定部が設けられていない端部が後方および前方にそれぞれ折り曲げられて、前記液晶パネルに接続する基板、および前記液晶パネルに設けられた液晶注入部を逃す位置に、互いが嵌合する第４および第５の板状固定部がそれぞれ設けられたことを特徴とする請求項１記載の液晶表示装置。
【請求項５】
液晶パネルの後方からバックライト装置によって光を照射して画像を表示する液晶表示装置において、
方形をなす第１の枠状平板の両端が後方に折り曲げられて、双方に複数の第１の板状固定部が間隔を空けて形成された形状を有し、前記液晶パネルを前方から押さえて保持する前部フレームと、
方形をなす第２の枠状平板の両端が前方に折り曲げられて、双方に複数の第２の板状固定部が間隔を空けて形成された形状を有し、前記液晶パネルを後方から押さえて保持する後部フレームと、
前記バックライト装置が収納された箱形の枠体の両側面の上端部が突出して第３の板状固定部が形成された形状を有し、前記第３の板状固定部が前記第１および第２の板状固定部の外側に嵌合して、前記前部フレームおよび前記後部フレームを保持するバックライトユニットと、
を有し、
前記第１の枠状平板の両端にて相対する前記第１の板状固定部間の距離が前記第２の枠状平板の両端にて相対する前記第２の板状固定部間の距離と等しく、かつ、前記第１の板状固定部および前記第２の板状固定部が前記第３の板状固定部の内側表面にて互い違いに配置されていることを特徴とする液晶表示装置。
【請求項６】
前記前部フレームおよび前記後部フレームは厚さ０．３ｍｍ未満の金属製であることを特徴とする請求項５記載の液晶表示装置。
【請求項７】
前記第１および第３の板状固定部の間、前記第２および第３の板状固定部の間は、それぞれの一方に設けられた突部を、他方に設けられた取り付け穴に挿嵌することによって固定されることを特徴とする請求項５記載の液晶表示装置。
【請求項８】
前記前部フレームおよび前記後部フレームには、前記第１および第２の枠状平板における、前記第１および第２の板状固定部が設けられていない端部が後方および前方にそれぞれ折り曲げられて、前記液晶パネルに接続する基板、および前記液晶パネルに設けられた液晶注入部を逃す位置に、互いが嵌合する第４および第５の板状固定部がそれぞれ設けられたことを特徴とする請求項５記載の液晶表示装置。
【発明の詳細な説明】
【０００１】
【発明の属する技術分野】
本発明は、液晶パネルの後方からバックライト装置によって光を照射して画像を表示する液晶表示装置に関する。
【０００２】
【従来の技術】
コンピュータ画像の表示等に用いられている液晶表示装置は、液晶物質が封入された液晶パネルの内側に設けられたバックライト装置による光、あるいは外部からの反射光を使って、液晶パネルの前面に画像を表示する。このうち、バックライト装置を用いた液晶表示装置では、例えば、液晶パネルが前後から２つのフレームによって保持され、この液晶パネルユニットに、バックライト装置が収納されたバックライトユニットが固定されている。
【０００３】
以下、このような従来の液晶表示装置の構造例について説明する。図５は、従来の液晶表示装置の構造例を示す分解斜視図である。
液晶表示装置１００は、画像を表示する液晶パネル１１０と、液晶パネル１１０を前方から保持する前部フレーム１２０と、後方から保持する後部フレーム１３０と、液晶パネル１１０に光を照射するバックライト装置が収納されたバックライトユニット１４０によって構成される。液晶パネル１１０は、例えば液晶層の前後を配向膜および透明電極膜で挟み、さらに透明板および偏光板を積層した一般的な液晶表示板であり、駆動装置が実装された基板１１１が接続され、樹脂によって封止された液晶物質の注入口１１２が設けられている。前部フレーム１２０および後部フレーム１３０は、ともに例えば厚さ０．３ｍｍのステンレスや鉄等の金属製プレス加工品であり、前部フレーム１２０には、方形をなす枠状平板である前面部１２１の端部が折り曲げられて、取り付け穴が設けられた平板状の固定部１２２ａ、１２２ｂ、１２３ａ、１２３ｂおよび１２３ｃが形成されている。また、後部フレーム１３０も同様に、方形の枠状平板である後面部１３１の端部が折り曲げられて、取り付け穴が設けられた平板状の固定部１３２ａおよび１３２ｂと、固定用の突起部が設けられた固定部１３３ａ、１３３ｂおよび１３３ｃが形成されている。バックライトユニット１４０は、金属製、プラスチック樹脂製等の箱型の枠体で、両側面のそれぞれの上端に板状の固定部１４１ａおよび１４１ｂと、固定部１４１ｃおよび１４１ｄが突出して形成されている。また、上面には光照射面１４２が設けられ、内部に光源、導光板、拡散シート、プリズムシート等で構成されるバックライト装置を収納し、保持している。
【０００４】
図５のように、液晶パネル１１０は前部フレーム１２０および後部フレーム１３０に挟み込まれて保持される。ここで、例えば前部フレーム１２０の両端に設けられた固定部１２２ａおよび１２２ｂの間の距離は、後部フレーム１３０の両端の固定部１３２ａおよび１３２ｂの間の距離よりわずかに大きくされ、また固定部１２３ａと１２３ｂの間の距離は、固定部１３３ａおよび１３３ｂの間の距離よりわずかに大きくされている。これによって液晶パネル１１０を挟み込んだ際に、後部フレーム１３０の固定部１３２ａおよび１３２ｂは、前部フレーム１２２の固定部１２２ａおよび１２２ｂ間にはまり込み、また、固定部１３３ａと固定部１３３ｂおよび１３３ｃは、固定部１２３ａと固定部１２３ｂおよび１２３ｃとの間にはまり込み、固定部１３３ａ、１３３ｂおよび１３３ｃに設けられた突起部が固定部１２３ａ、１２３ｂおよび１２３ｃの取り付け穴にはめ込まれて固定される。一方、バックライトユニット１４０に設けられた例えば固定部１４１ａおよび１４１ｃの間の距離は、前部フレーム１２０の固定部１２２ａおよび１２２ｂの間の距離よりわずかに大きくなっており、前部フレーム１２０と後部フレーム１３０とが液晶パネル１１０を挟み込んだ状態で、バックライトユニット１４０の固定部１４１ａおよび１４１ｂと、固定部１４１ｃおよび１４１ｄとの間にさらに挟み込まれる。固定部１４１ａ、１４１ｂ、１４１ｃおよび１４１ｄには内側に向けて突起部が設けられており、この突起部が固定部１２２ａ、１２２ｂ、１３２ａおよび１３２ｂにそれぞれ設けられた取り付け穴にはまり込むことで、前部フレーム１２０、後部フレーム１３０およびバックライトユニット１４０が一体に固定される。
【０００５】
【発明が解決しようとする課題】
ところで、一般に、液晶表示装置はノートブック型のワードプロセッサやパーソナルコンピュータ等の情報機器に用いられるが、これらは小型化、薄型化への要求が強く、搭載される液晶表示装置にもこのような要求が強い。しかし、上記の液晶表示装置１００では、後部フレーム１３０の外側から前部フレーム１２０が挟み込んで液晶パネル１１０を固定し、さらにこの外側からバックライトユニット１４０を固定しているため、液晶パネル１１０の保持のための前部フレーム１２０および後部フレーム１３０の２枚のフレームの厚さに、バックライトユニット１４０の固定部１４１ａ、１４１ｂ、１４１ｃおよび１４１ｄの厚さが加わってしまう。従来の液晶表示装置では、上記のようにフレームに保持された液晶パネルの外側からバックライトユニットが挟み込むタイプのものが一般的であり、小型化および薄型化には限度があった。
【０００６】
本発明がこのような課題に鑑みてなされたものであり、液晶パネルを保持するフレームと、これに接続されるバックライトユニットが、小型化および薄型化された液晶表示装置を提供することを目的とする。
【０００７】
【課題を解決するための手段】
本発明では上記課題を解決するために、液晶パネルの後方からバックライト装置によって光を照射して画像を表示する液晶表示装置において、方形をなす第１の枠状平板の両端が後方に折り曲げられて、双方に複数の第１の板状固定部が間隔を空けて形成された形状を有し、前記液晶パネルを前方から押さえて保持する前部フレームと、方形をなす第２の枠状平板の両端が前方に折り曲げられて、第２の板状固定部が形成された形状を有し、前記第２の板状固定部が前記第１の板状固定部の内側に嵌合して、前記液晶パネルを後方から押さえて保持する後部フレームと、前記バックライト装置が収納された箱形の枠体の両側面の上端部が突出して、双方に複数の第３の板状固定部が間隔を空けて形成された形状を有し、前記第２の板状固定部の外側に嵌合して、前記後部フレームを保持するバックライトユニットと、を有し、前記第１の枠状平板の両端にて相対する前記第１の板状固定部間の距離が前記箱形の枠体の両側面の上端部にて相対する前記第３の板状固定部間の距離と等しく、かつ、前記第１の板状固定部および前記第３の板状固定部が前記第２の板状固定部の外側表面にて互い違いに配置されていることを特徴とする液晶表示装置が提供される。
【０００８】
このような液晶表示装置では、前部フレームに設けられた複数の第１の板状固定部と、バックライトユニットに設けられた複数の第３の板状固定部とが、後部フレームに保持される際に、この後部フレームに設けられた第２の板状固定部の外側面に互い違いに接触する。前部フレームと後部フレームは、例えば厚さ０．３ｍｍ未満の金属製で、各板状固定部の接触部分では、例えば、接触している板状固定部のそれぞれの一方に設けられた突部を、他方に設けられた取り付け穴に挿嵌することによって、後部フレームに前部フレームおよびバックライトユニットが固定される。
【０００９】
また、本発明では、液晶パネルの後方からバックライト装置によって光を照射して画像を表示する液晶表示装置において、方形をなす第１の枠状平板の両端が後方に折り曲げられて、双方に複数の第１の板状固定部が間隔を空けて形成された形状を有し、前記液晶パネルを前方から押さえて保持する前部フレームと、方形をなす第２の枠状平板の両端が前方に折り曲げられて、双方に複数の第２の板状固定部が間隔を空けて形成された形状を有し、前記液晶パネルを後方から押さえて保持する後部フレームと、前記バックライト装置が収納された箱形の枠体の両側面の上端部が突出して第３の板状固定部が形成された形状を有し、前記第３の板状固定部が前記第１および第２の板状固定部の外側に嵌合して、前記前部フレームおよび前記後部フレームを保持するバックライトユニットと、を有し、前記第１の枠状平板の両端にて相対する前記第１の板状固定部間の距離が前記第２の枠状平板の両端にて相対する前記第２の板状固定部間の距離と等しく、かつ、前記第１の板状固定部および前記第２の板状固定部が前記第３の板状固定部の内側表面にて互い違いに配置されていることを特徴とする液晶表示装置が提供される。
【００１０】
このような液晶表示装置では、前部フレームに設けられた複数の第１の板状固定部と、後部フレームに設けられた複数の第２の板状固定部とが、バックライトユニットに保持される際に、このバックライトユニットに設けられた第３の板状固定部の内側面に互い違いに接触する。前部フレームと後部フレームは、例えば厚さ０．３ｍｍ未満の金属製で、各板状固定部の接触部分では、例えば、接触している板状固定部のそれぞれの一方に設けられた突部を、他方に設けられた取り付け穴に挿嵌することによって、バックライトユニットに前部フレームおよび後部フレームが固定される。
【００１１】
【発明の実施の形態】
以下、本発明の実施の形態を図面を参照して説明する。
図１は、本発明の液晶表示装置の構造例を示す分解斜視図である。
【００１２】
液晶表示装置１は、画像を表示する液晶パネル１０と、液晶パネル１０を前方から保持する前部フレーム２０と、後方から保持する後部フレーム３０と、液晶パネル１０に光を照射するバックライト装置が収納されたバックライトユニット４０によって構成される。液晶パネル１０は、例えば液晶層の前後を配向膜および透明電極膜で挟み、さらに透明板および偏光板を積層した一般的な液晶表示板であり、駆動装置が実装された基板１１が接続され、樹脂によって封止された液晶物質の注入口１２が設けられている。また、前部フレーム２０および後部フレーム３０は、ともに例えば厚さ０．２ｍｍのステンレスや鉄等の金属製プレス加工品であり、方形状平板の端部が折り曲げられて他のフレーム等と接続固定される部分が複数形成されている。さらに、バックライトユニット４０は、金属製、プラスチック樹脂製等の箱型の枠体で、両側面の上端に同様な板状の固定部分が突出して形成されている。このバックライトユニット４０に収納されるバックライト装置は、例えば、蛍光管等の光源を端部に配し、この光源からの光を樹脂製等の導光板によって前面に導光し、この光を拡散シートによって拡散してプリズムシートを透過させ、バックライトユニット４０の上面に液晶パネル１０に平行に配置された光照射面４２から光が照射されるライトガイド方式のものとなっている。
【００１３】
以下、この液晶表示装置１の取り付け構造について説明する。前部フレーム２０には、枠状平板である前面部２１の両端が後方に折り曲げられて、取り付け穴が設けられた平板状の固定部２２ａ、２２ｂ、２２ｃ、２２ｄ、２２ｅおよび２２ｆが双方の端部に複数、所定の間隔を空けて形成されている。この固定部２２ａ、２２ｂ、２２ｃ、２２ｄ、２２ｅおよび２２ｆは、図１では前面部２１の短辺側の端部に設けられているが、これに限らず、代わりに長辺側に設けられてもよい。また、前部フレーム２０には、長辺側の端部にも平板状の固定部２３ａ、２３ｂおよび２３ｃが形成されている。一方、後部フレーム３０には、枠状平板である後面部３１の両端が前方に折り曲げられて、複数の取り付け穴および取り付けのための突起部が外側に向けて設けられた平板状の固定部３２ａおよび３２ｂが形成されている。また、長辺側の端部にも平板状の固定部３３ａ、３３ｂおよび３３ｃが形成されている。
【００１４】
後部フレーム３０の固定部３２ａおよび３２ｂに設けられた複数の突起部は、前部フレーム２０の固定部２２ａ、２２ｂ、２２ｃ、２２ｄ、２２ｅおよび２２ｆに設けられた取り付け穴にそれぞれ対応している。また、後部フレーム３０長辺方向の距離は、前部フレーム２０長辺方向の距離よりわずかに短くなっている。これによって、後部フレーム３０の固定部３２ａおよび３２ｂが、前部フレーム２０の固定部２２ａ、２２ｂ、２２ｃ、２２ｄ、２２ｅおよび２２ｆの内側にはまり込み、液晶パネル１０は前部フレーム２０と後部フレーム３０との間に挟み込まれて保持される。また、前部フレーム２０の各固定部の取り付け穴に、後部フレーム３０に設けられた突起部がはまり込むことで、前部フレーム２０と後部フレーム３０とが固定される。このように、上記の液晶表示装置１では、前部フレーム２０と後部フレーム３０とが複数の固定部によって固定されることで、各フレームを厚さ０．３ｍｍ未満の薄い金属としても剛性を保つことができる。
【００１５】
また、後部フレーム３０の短辺方向の距離は、前部フレーム２０の短辺方向の距離よりわずかに短くなっており、後部フレーム３０の固定部３３ａ、３３ｂおよび３３ｃは、前部フレーム２０の固定部２３ａ、２３ｂおよび２３ｃの内側にはまり込み、前部フレーム２０側の取り付け穴に後部フレーム３０側の突起部がはめ込まれることで、両フレームが固定される。これによって、両フレームの結合強度が増し、フレーム剛性が高まる。また、液晶パネル１０の注入口１２に付着した封止用樹脂は外部に突き出た状態になっていることから、固定部２３ａおよび３３ａは、各フレームの長辺側の側面をすべてふさがずに一部に隙間が形成されて、ここから注入口１２の封止用樹脂が突き出るようになっている。さらに、上記と同様に外部に突き出た状態になっている液晶パネル１０の基板１１についても、固定部２３ｂおよび３３ｂと、固定部２３ｃおよび３３ｃとの間に設けた隙間から基板１１が突き出るようになっている。
【００１６】
このように、液晶パネル１０を保持して一体となった前部フレーム２０および後部フレーム３０は、バックライトユニット４０によって保持される。バックライトユニット４０には、両側面の上端に突出した形状で、板状の固定部４１ａ、４１ｂ、４１ｃおよび４１ｄが、所定の間隔を空けて形成されている。各固定部には取り付けのための突起部が内側に向けて設けられ、それぞれの突起部は、後部フレーム３０の固定部３２ａおよび３２ｂに設けられた取り付け穴にそれぞれ対応している。また、バックライトユニット４０の長辺方向の距離は、後部フレーム３０の長辺方向の距離よりわずかに短く、前部フレーム２０の長辺方向の距離と等しくなっている。これによって、バックライトユニット４０の固定部４１ａおよび４１ｂと、４１ｃおよび４１ｄとの間に、後部フレーム３０の固定部３２ａおよび３２ｂがそれぞれはめ込まれ、取り付け穴に突起部がはまり込むことで、バックライトユニット４０と後部フレーム３０とが固定される。
【００１７】
図２にこのときの各固定部の接合の様子を示す。
図２は、前部フレーム２０、後部フレーム３０およびバックライトユニット４０が接続された状態における側面の一部拡大図を示している。上述したように、前部フレーム２０の短辺に設けられた固定部２２ａ、２２ｂ、２２ｃ、およびバックライトユニット４０の短辺に設けられた固定部４１ａ、４１ｂは、所定の間隔を空けて形成されている。このため、この前部フレーム２０およびバックライトユニット４０が後部フレーム３０に接続されたときの状態は、図２に示すように、前部フレーム２０とバックライトユニット４０の各固定部が交互にかみ合った状態で、斜線で示した後部フレーム３０の固定部３２ａに接続される。
【００１８】
また、図３に図２のＡ矢視による液晶表示装置１の断面図を示す。図３では、液晶パネル１０を保持している後部フレーム３０の固定部３２ａおよび３２ｂの外側に、前部フレーム２０の固定部２２ｂおよび２２ｅが重なって固定されている。また、この固定部２２ｂおよび２２ｃの画面奥では、同様にバックライトユニット４０の固定部４１ａおよび４１ｃが固定されている。このように、前部フレーム２０の長辺方向の距離と、バックライトユニット４０の長辺方向の距離は等しく、これらの各固定部が図２のように前後（図における上下）にかみ合った状態で後部フレーム３０に接続されているため、接続部分におけるフレームの重複枚数は２枚に抑えられ、前部フレーム２０、後部フレーム３０およびバックライトユニット４０の接続面が存在する長辺方向の幅が、従来と比較して縮小される。したがって、各固定部がかみ合った構造によって、前部フレーム２０の前面部２１からバックライトユニット４０の後面までの厚さを最小限にとどめながら、長辺方向の幅を縮小することが可能となっている。また、複数の固定部がかみ合った状態で前後から固定するため、各フレームに用いる金属の厚さを０．３ｍｍ未満としても、各フレームの剛性を保つことができ、外形を縮小することが可能となる。
【００１９】
さらに、前部フレーム、後部フレームおよびバックライトユニットの接続は、次に示す第２の実施例の構造によってなされてもよい。図４に、第２の実施例における各固定部の接合の様子を示す。
【００２０】
図４では、液晶パネルが収納されている各フレームの内側から見た接続部の拡大図、すなわち、図２に示した接続部の画面裏側からの図が示されている。この実施例では、前部フレーム５０の前面部５１の両端が後方に折り曲げられて、取り付け穴が設けられた平板状の固定部５２ａ、５２ｂ等が双方の端部に複数、所定の間隔を空けて形成されている。また、後部フレーム６０の後面部６１の両端は前方に折り曲げられて、同様に取り付け穴が設けられた平板状の固定部６２ａ等が双方の端部に複数、所定の間隔を空けて形成されている。一方、バックライトユニット７０には、両側面の上端に突出した形状で、板状の固定部７１ａ等が所定の間隔を空けて形成されている。前部フレーム５０および後部フレーム６０の、各固定部が形成された両端部間の距離はともに等しく、バックライトユニット７０の両端部間の距離よりわずかに短くされている。また、各固定部間の固定は、第１の実施例と同じく、取り付け穴に突起部をはめ込むことにより行っている。なお、図中に示す３つの斜線部分は上から、前部フレーム５０の前面部５１、後部フレーム６０の後面部６１、バックライトユニット７０の前面部７２の、それぞれ断面を示している。
【００２１】
この図に示すように、前部フレーム５０の固定部５２ａおよび５２ｂと、後部フレーム６０の固定部６２ａとが、バックライトユニット７０の固定部７１ａの内側に前後から互い違いに接触して固定されている。これによって、接続部分におけるフレームの重複枚数は２枚に抑えられ、前部フレーム５０、後部フレーム６０およびバックライトユニット７０の接続面が存在する両端部間の距離が、従来と比較して縮小される。したがって、各固定部がかみ合った構造によって、前部フレーム５０の前面部５１からバックライトユニット７０の後面までの厚さを最小限にとどめながら、前面部５１の幅を縮小することが可能となっている。また、複数の固定部がかみ合った状態で前後から固定するため、各フレームに用いる金属の厚さを０．３ｍｍ未満としても、各フレームの剛性を保つことができ、外形をさらに縮小することができる。
【００２２】
なお、以上に示した液晶表示装置の各構成部品の形状は、これに限ったことでない。例えば、各フレームおよびバックライトユニットに形成される固定部の大きさや形状、各固定部の間隔、固定部に設けられる取り付け穴の大きさ、個数、形状等は、自由に決定することができる。また、各固定部の固定方法は、ネジ止めや接着によっても可能である。
【００２３】
【発明の効果】
以上説明したように、本発明の液晶表示装置では、前部フレームに設けられた複数の第１の板状固定部と、バックライトユニットに設けられた複数の第３の板状固定部とが、後部フレームに保持される際に、この後部フレームに設けられた第２の板状固定部の外側面に互い違いに接触することによって、各板状固定部の接触する枚数が２枚に抑えられ、前部フレームの前面部からバックライトユニットの後面までの厚さを最小限にとどめながら幅を縮小することが可能となっている。また、前部フレームと後部フレームを複数の板状固定部によって固定することによって、各フレームを厚さ０．３ｍｍ未満の金属製としてもフレーム剛性を維持することができ、装置外形の寸法が縮小される。
【００２４】
また、本発明の液晶表示装置では、前部フレームに設けられた複数の第１の板状固定部と、後部フレームに設けられた複数の第２の板状固定部とが、バックライトユニットに保持される際に、このバックライトユニットに設けられた第３の板状固定部の内側面に互い違いに接触することによって、各板状固定部の接触する枚数が２枚に抑えられ、前部フレームの前面部からバックライトユニットの後面までの厚さを最小限にとどめながら幅を縮小することが可能となっている。また、前部フレームと後部フレームを複数の板状固定部によって固定することによって、各フレームを厚さ０．３ｍｍ未満の金属製としてもフレーム剛性を維持することができ、装置外形の寸法が縮小される。
【図面の簡単な説明】
【図１】本発明の液晶表示装置の構造例を示す分解斜視図である。
【図２】本発明の液晶表示装置における各固定部の接合の様子を示す図である。
【図３】図２に示すＡ矢視による液晶表示装置の断面図を示す。
【図４】液晶表示装置の第２の実施例における各固定部の接合の様子を示す図である。
【図５】従来の液晶表示装置の構造例を示す分解斜視図である。
【符号の説明】
１……液晶表示装置、１０……液晶パネル、１１……基板、１２……注入口、２０……前部フレーム、２１……前面部、２２ａ、２２ｂ、２２ｃ、２２ｄ、２２ｅ、２２ｆ、２３ａ、２３ｂ、２３ｃ……固定部、３０……後部フレーム、３１……後面部、３２ａ、３２ｂ、３３ａ、３３ｂ、３３ｃ……固定部、４０……バックライトユニット、４１ａ、４１ｂ、４１ｃ、４１ｄ……固定部、４２……光照射面
【図１】
0004461588.tif 000002
【図２】
0004461588.tif 000003
【図３】
0004461588.tif 000004
【図４】
0004461588.tif 000005
【図５】
0004461588.tif 000006